(57)【要約】【課題】買い物用かごの利便性を向上させる。【解決手段】買い物用かご１０は、購入者が購入した精算済みの商品を自宅へ持ち帰るために用いられる。買い物用かご１０は、かご本体１１の上面開口を覆うことが可能なカバー１２を有する。カバー１２は、カバー１２をかご本体１１に取り付けるためのフック１４を有する。フック１４は、伸縮自在なゴム１３によりカバー１２に取り付けられている。かご本体１１には、フック１４を引っかけることが可能な孔１５又は凹部が設けられており、カバー１２をかご本体１１の上面開口にかぶせ、フック１４を引っ張りながら、かご本体１１の孔１５に引っかけることにより、容易にカバー１２をかご本体１１に取り付けることができる。【選択図】図１
0003122855.tif 000002
【実用新案登録請求の範囲】
【請求項１】
購入した商品を持ち帰るための買い物用かごであって、
前記商品を収容するためのかご本体と、
前記かご本体の上面開口を覆うカバーと、を備え、
前記カバーは、前記カバーを前記かご本体に取り付けるためのフックを有することを特徴とする買い物用かご。
【請求項２】
前記かご本体は、前記フックを引っかけることが可能な孔又は凹部を有することを特徴とする請求項１に記載の買い物用かご。
【請求項３】
前記フックは、前記カバーの四隅に設けられることを特徴とする請求項１又は２に記載の買い物用かご。
【請求項４】
前記フックは、ゴムにより前記カバーに取り付けられることを特徴とする請求項１から３のいずれかに記載の買い物用かご。
【請求項５】
前記カバーは布製であることを特徴とする請求項１から４のいずれかに記載の買い物用かご。
【請求項６】
前記カバーの表面に模様が描かれていることを特徴とする請求項１から５のいずれかに記載の買い物用かご。
【考案の詳細な説明】
【技術分野】
【０００１】  この考案は、買い物の際に購入した商品を持ち帰るための買い物用かごに関する。
【背景技術】
【０００２】  スーパーマーケット等において買い物をする際、購入者は、陳列された商品の中から所望の商品を選択し、店内に予め備え付けられた買い物用かごに商品を収容していく。商品の選択が終了すると、レジで一括して精算を済ませ、レジにて支給されたビニール製の袋に購入した商品を詰め替えて持ち帰るのが一般的である。
【特許文献１】実開平６−１４１０３号公報
【考案の開示】
【考案が解決しようとする課題】
【０００３】  従来、購入者が商品を持ち帰るために使用するビニール袋は、スーパーマーケットなどの商店から無料で支給されていたが、近年、膨大な量のビニール袋が廃棄されていることが問題視され、購入者自身が買い物袋を持参して買い物に出掛けるよう呼びかける運動が行われている。しかし、このような動きは一般に浸透しているとは言えず、打開策として、無料で支給されていたビニール袋を有料化しようとする動きもある。このように、買い物袋のごみが環境問題に発展する社会情勢の中、買い物用のビニール袋の消費量を抑える努力が不可欠である。【０００４】  本考案は、このような状況に鑑みてなされたものであり、その目的は、利便性の高い買い物用かごを提供し、購入者自身が買い物用かごを持参する動きを促進することにより、買い物用のビニール袋の消費量を低減させることにある。
【課題を解決するための手段】
【０００５】  上記課題を解決するために、本考案のある態様の買い物用かごは、購入した商品を持ち帰るための買い物用かごであって、前記商品を収容するためのかご本体と、前記かご本体の上面を覆うカバーと、を備え、前記カバーは、前記カバーを前記かご本体に取り付けるためのフックを有することを特徴とする。【０００６】  前記かご本体は、前記フックを引っかけることが可能な孔又は凹部を有してもよい。前記カバーは略四角形の形状を有していてもよい。このとき、前記フックは、前記カバーの四隅に設けられてもよいし、前記カバーの対向する２辺に設けられてもよい。前記フックは、ゴムなどの伸縮自在な部材により前記カバーに取り付けられてもよい。前記カバーは布製であってもよい。前記カバーの表面に模様が描かれていてもよい。
【考案の効果】
【０００７】  本考案によれば、利便性の高い買い物用かごを提供し、購入者自身が買い物用かごを持参する動きを促進することにより、買い物用のビニール袋の消費量を低減させることができる。
【考案を実施するための最良の形態】
【０００８】  図１は、実施の形態に係る買い物用かごの外観を示す。実施の形態の買い物用かご１０は、購入者が購入した精算済みの商品を自宅へ持ち帰るために用いるものである。買い物用かご１０のかご本体１１として、スーパーマーケット等において一般的に用いられている備え付けの買い物用かごと同種のものを利用可能である。購入者が陳列商品の中から所望の商品を選択して収容する際には、従来と同様に、スーパーマーケット等の商店に備え付けの買い物用かごに商品を収容する。このとき、購入者は、持参した持ち帰り用のかご本体１１をショッピングカートの下段などに置き、上段に店内備え付けの買い物用かごを置いて、上段の買い物用かごに商品を収容していくようにすると便利である。【０００９】  購入者が商品の選択を終了すると、レジにて商品を精算するときに、持参したかご本体１１を担当者に差し出し、精算の終わった商品をかご本体１１に収容してもらうようにする。このようにすれば、精算の終わった商品をさらに買い物用のビニール袋に詰め替える必要がなく、商品が収容されたかご本体１１をそのまま持ち帰ればよい。これにより、ビニール袋の使用を抑えることができる。また、購入者としても、ビニール袋に詰め替える手間を省くことができ、利便性が向上する。なお、購入した商品がかご本体１１に収容しきれない場合は、ビニール袋を使用するようにしてもよいが、このような場合に備えて、購入者自身が布、ビニール、紙などの袋を持参することが好ましい。【００１０】  かご本体１１は、ビニール袋に比べて、安定性において格段に優れているので、かご本体１１に商品を収容したまま持ち帰るときに、途中で床などの上に置いても、倒れたり転がったりしにくい。例えば、自動車などの乗り物で自宅へ商品を持ち帰るとき、従来のようにビニール袋に詰め替えて商品を持ち帰る場合は、安定性がないので、乗り物の揺れなどによりビニール袋が転がるなどして、商品が外に飛び出したり、ビニール袋内で商品同士がぶつかって傷ついたりすることがあった。しかし、かご本体１１は床に安定して載置することができるので、かご本体１１が倒れて商品が飛び出してしまうような事態が軽減される。また、自宅に持ち帰った後も、食品等の収納かごとしてそのまま用いることもできる。【００１１】  このように、本実施の形態では、ビニール袋の消費量を低減させるために、買い物用かごを、商店内で商品をレジへ持ち運ぶためだけでなく、精算後に自宅へ持ち帰るために使うことを提案する。このとき、かご本体１１の中に収容している商品が他人に見られることに抵抗を感じる購入者もいるので、本実施の形態では、かご本体１１の上面開口を覆うことが可能なカバー１２を設ける。カバー１２は、かご本体１１の上面と同様な形状を有し、かご本体１１の上面よりも若干大きめであるのが好ましい。これにより、かご本体１１の内部に収容された商品が、上面開口から見えてしまうことを防ぎ、プライバシーを保護することができるとともに、盗難防止にも役立つ。また、内部に収容された商品が持ち運んでいるときに外部へ飛び出してしまうのを防ぐことができる。【００１２】  カバー１２は、カバー１２をかご本体１１に取り付けるためのフック１４を有す��。フック１４は、伸縮自在なゴム１３によりカバー１２に取り付けられている。かご本体１１には、フック１４を引っかけることが可能な孔１５又は凹部が設けられており、カバー１２をかご本体１１の上面開口にかぶせ、フック１４を引っ張りながら、かご本体１１の孔１５に引っかけることにより、容易にカバー１２をかご本体１１に取り付けることができる。【００１３】  フック１４は、四角形の形状を有するカバー１２の四隅に設けられてもよいし、対向する２辺の中点付近に設けられてもよいし、その他、カバー１２の周縁の任意の位置に設けられてもよいが、カバー１２が風などによりはためくことを防ぐ観点から、また、カバー１２の取り付けやすさの観点から、カバー１２の四隅に設けられるのが好ましい。【００１４】  図２は、買い物用かごにカバーをかけた様子を示す。ゴム１３の張力によりカバー１２がかご本体１１に固定されているので、カバー１２が風などによりはためいたり、かご本体１１からはずれたりすることを防ぐことができる。【００１５】  カバー１２は、柔らかい布などの素材により構成されるのが好ましい。多くの商品を収容して、商品がかご本体１１の上面よりも高く積まれていても、柔らかい布などのカバー１２であれば、その上を適切に覆うことができる。カバー１２の表面には、花柄などのデザイン性に優れた模様が描かれていてもよい。魅力的なデザインのカバー１２を多数用意することにより、買い物用かご１０の利用をより促進することができる。かご本体１１についても、さまざまな色で着色したものを提供するなど、購入者が魅力を感じる外観とすることが好ましい。これにより、買い物用かご１０の利用を促進し、ビニール袋の消費量を低減することができる。【００１６】  カバー１２は、表面に模様の描かれた布を２枚貼り合わせた、又は縫い合わせたものであってもよい。これにより、購入者は、気分に応じていずれの面を表にするかを選択することができるので、より魅力的なものとすることができる。また、布を二重にしておくことにより、カバー１２の強度を向上させることができる。とくに、ゴム１３が取り付けられた部分は、フック１４をかご本体１１に引っかけるときに張力がかかるので、二重にするなどして丈夫にしておくことが好ましい。【００１７】  以上、本考案を実施の形態をもとに説明した。この実施の形態は例示であり、それらの各構成要素や各処理プロセスの組合せにいろいろな変形例が可能なこと、またそうした変形例も本考案の範囲にあることは当業者に理解されるところである。
【図面の簡単な説明】
【００１８】
【図１】実施の形態に係る買い物用かごの外観を示す図である。
【図２】買い物用かごにカバーをかけた様子を示す図である。
【符号の説明】
【００１９】  １０  買い物用かご
１１  かご本体
１２  カバー
１３  ゴム
１４  フック
１５  孔
【図１】
0003122855.tif 000003
【図２】
0003122855.tif 000004